(57)【特許請求の範囲】
【請求項１】
異なる３次元制作手段からのデータを利用する符号化装置であって、
前記データは、右の画像及び左の画像に関連し、前記データは、右の画像及び／又は左の画像に関連する深度マップに関連し、前記データは、オクルージョンレイヤに関連し、
当該装置は、
前記右の画像のビデオデータを含むベースレイヤ及び前記左の画像のビデオデータを含むレベル０のエンハンスメントレイヤ、又は前記左の画像のビデオデータを含むベースレイヤ及び前記右の画像のビデオデータを含むレベル０のエンハンスメントレイヤである２つのレイヤを有するレベル０と、前記ベースレイヤの画像に関連する深度マップを含む第一のレベル１のエンハンスメントレイヤ及び前記レベル０のエンハンスメントレイヤの画像に関連する深度マップを含む第二のレベル１のエンハンスメントレイヤである２つのエンハンスメントレイヤを有するレベル１と、前記ベースレイヤの画像に関連するオクルージョンデータを含むレベル２のエンハンスメントレイヤを含むレベル２とにより構築されるストリームを生成する手段を備える、
ことを特徴とする符号化装置。
【請求項２】
レベル０，レベル１又はレベル２に関連するデータは、３次元合成画像の生成手段、及び／又は、２次元カメラからの２次元データ及び／又は２次元ビデオコンテンツから３次元データを制作する手段、及び／又は、ステレオカメラ及び／又はマルチビューカメラから３次元データを制作する手段から供給される、
請求項１記載の装置。
【請求項３】
前記３次元制作手段は、レベル１に関連するデータを計算するため、深度情報を取得する手段、及び／又は、ステレオカメラ及び／又はマルチビューカメラより到来するデータから深度マップを計算する手段を含む、
請求項１記載の装置。
【請求項４】
前記３次元制作手段は、レベル２に関連するデータを計算するため、深度情報を取得する手段、ステレオカメラ及び／又はマルチビューカメラより到来するデータからオクルージョンマップを計算する手段を含む、
請求項１記載の装置。
【請求項５】
スクリーンで表示するため、ストリームから３次元データを復号化する装置であって、
前記ストリームは、
右の画像のビデオデータを含むベースレイヤ及び左の画像のビデオデータを含むレベル０のエンハンスメントレイヤ、又は左の画像のビデオデータを含むベースレイヤ及び右の画像のビデオデータを含むレベル０のエンハンスメントレイヤである２つのレイヤを有するレベル０と、
前記ベースレイヤの画像に関連する深度マップを含む第一のレベル１のエンハンスメントレイヤ及び前記レベル０のエンハンスメントレイヤの画像に関連する深度マップを含む第二のレベル１のエンハンスメントレイヤである２つのレイヤを有するレベル１と、
前記ベースレイヤの画像に関連するオクルージョンデータを含むレベル２のエンハンスメントレイヤを含むレベル２とにより構築され、
ディスプレイ装置での表示のため、当該復号化装置は、受信される１以上のデータストリームレイヤのデータを使用して前記ディスプレイ装置と互換性があるようにする３次元ディスプレイ適応回路を有する、
ことを特徴とする復号化装置。
【請求項６】
前記３次元ディスプレイ適応回路は、
ディスプレイが３次元シネマスクリーンであるとき、ディスプレイがメガネの使用を必要とする2視点立体スクリーンであるとき、又はディスプレイが2視点オートステレオスコピックスクリーンであるときにレベル０のレイヤを使用し、
ディスプレイがフィリップス社の“2D+z”型のスクリーンであるとき、ベースレイヤ及び第一のレベル１のエンハンスメントレイヤを使用し、
ディスプレイがMVD型のオートステレオスコピック3DTVであるとき、レベル０及びレベル１のレイヤの全てを使用し、
ディスプレイがLDV型スクリーンであるとき、ベースレイヤ、レベル１及びレベル２の第一のエンハンスメントレイヤを使用する、
請求項５記載の装置。
【発明の詳細な説明】
【技術分野】
【０００１】
本発明は、3Dビデオ信号の符号化に関し、より詳細には、3Dコンテンツをブロードキャストするために使用されるトランスポートフォーマットに関する。
【０００２】
本発明の技術分野は、シネマプロジェクション、DVDメディアの流通又はテレビジョンチャネルによるブロードキャスト向けに使用されるシネマコンテンツを含む3Dビデオの分野に関する。したがって、本発明の技術分野は、特に、3Dデジタルシネマ、３D  DVD及び3Dテレビジョンに関する。
【背景技術】
【０００３】
今日、画像の表示について様々なシステムが存在する。  
立体システムとして知られる3Dデジタルシネマは、たとえばポラロイドフィルタによるメガネの装着に基づくものであり、立体的な視点のペア（左“left”/右“right”）又はあるフィルムの２つの「リール」に等価なものを使用する。
【０００４】
立体システムとして知られるデジタルテレビジョン用の3Dスクリーンは、メガネの装着を必要としないため、ポラロイドレンズ又はバンドの使用に基づく。これらのシステムは、見る人が角度に関する錐体“angular  cone”において、右目と左目に到達する異なる画像を有するのを可能にするように設計されている。
【０００５】
Newsight社により製造される3DTVスクリーンは、視差バリア、あるレンズの光心のように振る舞う透明及び不透明なフィルムを有しており、軌道から逸脱しない光線は、これらのスロットを横断するスロットである。実際に、システムは、右側に４つの視点、左側に４つの視点として８つの視点を使用し、これらの視点は、視点における変化又は見る人の動きの間に、動き視差の効果の形成を可能にする。この動き視差の作用は、簡単なオートステレオスコピックビュー（autostereoscopic  view）により生成されるよりも、シーンにおいて見る人が入り込んでいる良好な印象を与え、すなわち右に関する１つのビューと左に関する１つのビューとが立体視差を形成する。Newsightからの3Dスクリーンは、標準化を受けている８視点ストリームフォーマットにより入力で供給される必要がある。多視点映像符号化に関するJVT  MPEG/ITU-T  MPEG4  AVC/H264標準に対する拡張MVC（MultiView  Coding）は、ストリームにおけるそれらの伝送についてビューのそれぞれの符号化を提案するものであり、到達地点で画像の合成が存在しない。
【０００６】
フィリップス社により製造される3DTVは、テレビジョンチャネルの前にあるレンズを有する。システムは、右側の４つの視点と左側の４つの視点と１つの中央の2Dビューを利用する。システムは、フォーマット“2D+Z”、すなわち従来の2Dビデオに加えて、標準MPEG-C  part3により標準化される深度マップｚに対応する補助データを伝送する標準的な2Dビデオストリームを使用する。2D画像は、スクリーンに表示される右及び左画像を提供するため、深度マップを使用して合成される。このフォーマットは、2D画像に関連する現在の標準と互換性があるが、特に利用される視点の数が高い場合には3D画像の品質を提供するためには不十分である。たとえば利用可能なデータは、オクルージョン（occlusion）を正しく処理することが不可能であり、アーチファクトが生成される。LDV（Layered  Depth  Video）と呼ばれる１つの解決策は、連続するスロットによりあるシーンを表現することからなる。次いで“2D+z”に加えて伝送されるのは、閉塞された画素（occluded  pixel）の値を定義する色のマップと、これら閉塞された画素の深度マップとから構成されるオクルージョンのレイヤである、これらオクルージョンに関連するコンテンツデータである。このデータを送信するため、フィリップスは、以下のフォーマットを使用する。たとえばHD（高精細）である画像は、４つのサブ画像に分割され、第一のサブ画像は、中央の2D画像であり、第二のサブ画像は、深度マップであり、第三のサブ画像は、画素値のマップに関するオクルージョンであり、第四のサブ画像は、オクルージョンマップに関する深度である。
【０００７】
また、現在の解決策は、3Dディスプレイについて伝送されるべき相補的な情報を考慮して、空間解像度における損失につながる。たとえば、1920画素の1080のラインである高精細パネルについて、8又は9視点のうちの視点のそれぞれは、8又は9の要素の空間解像度の損失を有し、使用される伝送ビットレート及びテレビジョンの画素数は一定のままである。
【０００８】
スクリーンの画像の表示の分野における研究は、今日、以下に向けられている。  
オートステレオスコピック多視点システム、すなわち特別のメガネを装着することなしに、２を超える視点を使用する。このシステムは、たとえば上述したLDVフォーマット又は深度マップを使用したMVD（Multiview  Video  ＋Depth）フォーマットを含む。
【０００９】
ステレオスコピックシステム、すなわち２視点を使用し、特別のメガネを装着する。コンテンツ、すなわち利用されるデータは、右及び左の２つの画像に関連する立体データ、又はLDVフォーマットに対応するデータ或いはMVDフォーマットに関連するデータである。Samsung社による3D  DLP（Digital  Light  Processing）リアプロジェクションHDTVシステム、及び同社により3DプラズマHDTVシステム、シャープ社による3D  LCDシステム等を引用することができる。
【００１０】
さらに、3Dデジタルシネマに関するコンテンツは、DVDメディアを介して流通され、現在研究されているシステムは、たとえばSensio又はDDDと呼ばれる。
【発明の概要】
【発明が解決しようとする課題】
【００１１】
3Dコンテンツをやり取りするために使用されるビデオエレメンタリストリームのフォーマットは統一されていない。独自の解決策が共存する。トランスポートカプセル化フォーマット（MPEG-C  part3）である１つのフォーマットは、標準化されるが、MPEG-2  TSトランスポートストリームにおけるカプセル化システムにのみ関連し、従ってエレメンタリストリームについて新たなフォーマットを定義しない。
【００１２】
この多数の3Dビデオコンテンツ用のビデオエレメンタリストリームフォーマットは、このフォーマットの収束がない場合には、たとえばデジタルシネマからDVDの流通及びTVブロードキャストへといった、あるシステムから別のシステムへの変換を容易にしない。
【００１３】
本発明の１つの目的は、上述された問題点を解決することにある。
【課題を解決するための手段】
【００１４】
本発明の目的は、異なる3D制作手段からのデータを利用することが意図される符号化装置であり、データは、右の画像及び左の画像に関連するものであり、データは、右の画像及び左の画像に関する深度マップに関連するものであり、及び／又はデータは、オクルージョンレイヤに関連するものである。当該符号化装置は、１を超えるレベルで構築されるストリームを生成する手段を有する。
【００１５】
レベル０は、右の画像のビデオデータを含むベースレイヤと左の画像のビデオデータを含むレベルゼロでのエンハンスメントレイヤ、又は逆に、左の画像のビデオデータを含むベースレイヤと右の画像のビデオデータを含むレベルゼロでのエンハンスメントレイヤ、である２つの独立なレイヤを有する。  
レベル１は、ベースレイヤの画像に関連する深度マップを含む第一のエンハンスメントレイヤ１、及びレベル０のエンハンスメントレイヤの画像に関連する深度マップを含む第二のレベル１のエンハンスメントレイヤ、である２つの独立なエンハンスメントレイヤを有する。  
レベル２は、ベースレイヤ画像に関連するオクルージョンを含むレベル２のエンハンスメントレイヤを有する。
【００１６】
特定の実施の形態によれば、レベル０，レベル１又はレベル２に関連するデータは、3D合成画像の生成手段、及び／又は、2Dカメラからの2Dデータ及び／又は2Dビデオコンテンツから3Dデータを制作する手段、及び／又は、ステレオカメラ及び／又はマルチビューカメラから3Dデータを制作する手段から供給される。
【００１７】
特定の実施の形態によれば、3Dデータを制作する手段は、レベル１に関連するデータを計算するため、深度情報を取得する手段、及び／又は、ステレオカメラ及び／又はマルチビューカメラより到来するデータから深度マップを計算する手段を含む。
【００１８】
特定の実施の形態によれば、3Dデータを制作する手段は、レベル２に関連するデータを計算するため、深度情報を取得する手段、ステレオカメラ及び／又はマルチビューカメラより到来するデータからオクルージョンマップを計算する手段を含む。
【００１９】
また、本発明の目的は、スクリーンで表示するため、幾つかのレベルで構築される、ストリームから3Dデータを復号化する装置である。  
レベル０は、右の画像のビデオデータを含むベースレイヤ及び左の画像のビデオデータを含むレベルゼロでのエンハンスメントレイヤ、又は左の画像のビデオデータを含むベースレイヤ及び右の画像のビデオデータを含むレベルゼロでのエンハンスメントレイヤからなる、２つの独立なレイヤを有する。  
レベル１は、ベースレイヤの画像に関連する深度マップを含むレベル１の第一のエンハンスメントレイヤ、及びレベル０のエンハンスメントレイヤの画像に関連する深度マップを含むレベル１の第二のエンハンスメントレイヤからなる２つの独立なエンハンスメントレイヤを有する。  
レベル２は、ベースレイヤ画像に関連するオクルージョンデータを含むレベル２のエンハンスメントレイヤを有する。
【００２０】
ディスプレイ装置での表示のため、当該装置は、受信された１以上のデータストリームレイヤのデータを使用して、ディスプレイ装置と互換性があるようにする3Dディスプレイ適応回路を有する。
【００２１】
特定の実施の形態によれば、3Dディスプレイ適応回路は、以下を使用する。  
ディスプレイが3Dシネマスクリーンであるとき、ディスプレイがメガネの使用を必要とする2視点立体スクリーンであるとき、又はディスプレイが２視点オートステレオスコピックスクリーンであるときのレベル０レイヤ。  
ディスプレイがフィリップス“2D+z”型のスクリーンであるときのベースレイヤ及び第一のレベル１のエンハンスメントレイヤ。  
ディスプレイがMVD型のオートステレオスコピック3DTVであるときの全てのレベル０及びレベル１レイヤ。
【００２２】
ディスプレイがLDV型のスクリーンであるとき、ベースレイヤ、レベル１とレベル２のエンハンスメントレイヤ。
【００２３】
また、本発明の目的は、ビデオデータトランスポートストリームであり、ストリームのシンタックスは、以下の構造に従うデータレイヤを識別する。  
レベル０のレイヤは、右画像のビデオデータを含む１つのベースレイヤ、及び左画像のビデオデータを含むエンハンスメントレイヤ、又は逆に、左画像のビデオデータを含む１つのベースレイヤ、及び右画像のビデオデータを含むエンハンスメントレイヤである２つの独立なレイヤから構成される。  
レベル１のエンハンスメントレイヤは、ベースレイヤの画像に関連する深度マップを含む第一のレベル１のエンハンスメントレイヤ、レベル０のエンハンスメントレイヤの画像に関連する深度マップを含む第二のレベル１のエンハンスメントレイヤである２つの独立なエンハンスメントレイヤから構成される。  
レベル２のエンハンスメントレイヤは、ベースレイヤの画像に関連するオクルージョンデータを含む。
【００２４】
１つの「スタックされた」フォーマットは、異なるメディア及び異なる表示システムについて、3Dデジタルシネマ、3D  DVD、3D  TV用のコンテンツのような異なる3Dコンテンツを流通させるために使用される。
【００２５】
したがって、異なる既存の制作モードから到来する3Dコンテンツが回復され、オートステレオスコピック表示装置のレンジは、１つの伝送フォーマットから対処される。
【００２６】
ビデオそれ自身のフォーマットの定義のおかげで、ストリームにおけるデータの構築のため、適切なデータの抽出及び選択が可能となり、3Dシステムの別のシステムとの互換性が保証される。
【図面の簡単な説明】
【００２７】
他の特定の特徴及び利点は、添付図面を参照して、限定するものではない例として提供される以下の記載から明らかとなる。
【図１】3Dコンテンツの制作及び流通システムを示す図である。
【図２】本発明に係る符号化レイヤの編成を示す図である。
【発明を実施するための形態】
【００２８】
たとえばNewsightスクリーンである多視点オートステレオスコピックスクリーンは、品質の観点で、マルチカメラの取得の結果が供給されるときだけ、極端な画像が立体視のペアに対応し、中間の画像が補間される、これらスクリーンにＮ個のビューが供給されるときに最良の結果を提供するように見える。これは、カメラの焦点、それらのアパーチャ、それらの位置（カメラ内の距離、光軸に関する方向等）、撮影される被写体のサイズ及び距離間で配慮される制約のためである。インテリア又はエクステリア、及び、リアリストカメラ、すなわちディスプレイでシーンの歪みの印象を与えない合理的な焦点距離及びアパーチャからなるカメラの現実のシーンについて、その光軸が１ｃｍの距離で配置される必要がある典型的なカメラシステムが使用される。平均的な人間の眼間距離は、６．２５ｃｍである。
【００２９】
したがって、眼間距離に対応する右及び左の立体視に関連するデータにマルチカメラに関連するデータを変換することが有利である。このデータは、深度マップ及びおそらくオクルージョンマスクを立体視に提供するために処理される。したがって、多視点、すなわち使用されるカメラの数に対応する2D画像の数に関連するデータを伝送することが無用となる。
【００３０】
立体カメラに関連するデータについて、左及び右の画像は、画像に加えて、深度マップ及びおそらくオクルージョンマスクを提供するために処理され、処理の後にオートステレオスコピックディスプレイ装置を介して利用を可能にする。
【００３１】
深度情報に関して、後者は、レーザ又は赤外線のような適合された手段から予測されるか、領域の深度の予測によって更に手動的なやり方で右の画像と左の画像との間の動き視差の測定により計算される。
【００３２】
１つの2Dカメラからのビデオデータは、２つの画像を提供するために処理され、２つのビューは、リレーフ（relief）を許容する。3Dモデルは、たとえば立体画像を提供するために連続する視点の利用を介してシーンの再構成から構成される人間の介入により、この１つの2Dビデオから作成することができる。
【００３３】
多視点ディスプレイシステム用に利用され、N個のカメラから到来するN個の視点は、補間を実行することで、立体コンテンツから計算することができる。したがって、立体コンテンツは、テレビ信号の伝送の基礎としての役割を果たし、立体のペアに関連するデータは、3Dディスプレイ装置のN個のビューが補間及び最終的に外挿により取得されるのを可能にする。
【００３４】
これらの考察を考慮して、3Dビデオコンテンツの表示用に必要な異なるデータタイプは、ディスプレイ装置のタイプに従って、以下の通りであると推測される。  
１）フィリップス社の９視点型オートステレオスコピック表示装置用の１視点及びオクルージョンマスクをもつ深度マップ。  
２）シーケンシャル又はメタメリック、偏向型の3Dデジタルシネマプロジェクション、シャッター又は偏向メガネの使用による、2視点のみをもつ立体表示装置、ヘッドトラッキング及びアイトラッキングとして知られるヘッド又はビジュアル方向技術の位置でサーボ装置をもつ2視点によりオートステレオスコピック表示装置、向けの立体画像のペア“a  stereographic  pair”。
３）Newsightの8視点型のオートステレオスコピック表示装置について、送信される2つのビューが圧縮により品質が低下された場合に中間的なビューの補間を容易にする２つの深度マップをもつステレオグラフィックペア。
４）MVD及びLDV互換性のある次期FTV（Free  viewpoint  TV）標準に準拠する表示装置向け、深度マップ及び異なるオクルージョンレイヤをもつステレオグラフィックペア。
【００３５】
図１は、3Dコンテンツ制作及び流通システムを概念的に示す。  
たとえば参照符号１の伝送又は記憶手段から到来する現在の2Dのコンテンツ、参照符号２の標準的な2Dカメラからのビデオデータは、参照符号３の制作手段に伝送され、3Dビデオへの変換が実現される。
【００３６】
ステレオカメラ４からのビデオデータ、マルチビューカメラ５からのビデオデータ、距離測定手段６からのデータは、3D制作回路７に伝送される。この回路は、深度マップ計算回路８及びオクルージョンマスク計算回路９を有する。
【００３７】
合成画像生成回路１０から到来するビデオデータは、圧縮及び伝送回路１１に送信される。3D制作回路３及び７からの情報は、この回路１１に伝送される。
【００３８】
圧縮及び伝送回路１１は、たとえばMPEG4圧縮方法を使用してデータの圧縮を実現する。信号は、圧縮回路に入力で潜在的に利用可能なビデオデータを構築するオブジェクトレイヤを識別するトランスポートストリームのシンタックスを転送するために適合される。この回路１１からのデータは、異なるやり方で受信回路に伝送される。  
物理メディアを介して、3D  DVD又は他のデジタルサポートで配置される。  
物理メディアを介して、シネマについてリールに記憶される（ロールアウト）。  
無線伝送、ケーブル、衛星等による。
【００３９】
このように、以下に記載されるトランスポートストリームの構造に従って圧縮及び伝送回路により信号は送信され、このトランスポートストリームの構造に従って、信号は、DVD又はリールに配置される。信号は、参照符号１２の3Dディスプレイ装置に適応回路により受信される。このブロックは、トランスポートストリーム及びプログラムストリームにおけることなるレイヤから、このブロックが接続される表示装置により必要とされるデータの計算を実行する。表示装置は、ステレオ投影１３、ステレオ表示装置１４、オートステレオグラフィック又は多視点オートステレオスコピック表示装置１５、サーボ機能をもつオートステレオスコピック表示装置１６等のタイプのスクリーンである。
【００４０】
図２は、データの転送向けの異なるレイヤのスタッキングを概念的に示す図である。
【００４１】
垂直方向において、レベルゼロのレイヤ、レベル１のレイヤ及びレベル２のレイヤが定義される。水平方向において、あるレベルについて、第一のレイヤ及び第二のレイヤが定義される。
【００４２】
たとえば立体画像の左のビューである立体写真の第一の画像のビデオデータは、ベースレイヤ、先に提案された名称に従ってレベルゼロの第一のレイヤが割り当てられる。このベースレイヤは、標準的なテレビジョンにより使用されるレイヤであり、たとえば標準的なテレビジョンにより表示される画像に関連する2Dデータである従来型のビデオデータもこのベースレイヤに割り当てられる。既存の製品との互換性は、このように保持され、互換性は、多視点映像符号化（MVC）の標準化において存在しない。
【００４３】
たとえば右の視点といった立体写真の第二のレイヤのビデオデータは、立体レイヤと呼ばれるレベルゼロの第二のレイヤに割り当てられる。これは、レベルゼロの第一のレイヤのエンハンスメントレイヤを含む。
【００４４】
深度マップに関するビデオデータは、レベル１のエンハンスメントレイヤに割り当てられ、レベル１の第一のレイヤは、左の視点の左深度レイヤと呼ばれ、レベル１の第二のレイヤは、右の視点の右深度レイヤと呼ばれる。
【００４５】
オクルージョンマスクに関連するビデオデータは、レベル２のエンハンスメントレイヤに割り当てられ、レベル２の第一のレイヤは、オクルージョンレイヤと呼ばれる。
【００４６】
ビデオエレメンタリストリームのスタックされたフォーマットは、したがって、標準的なビデオ、立体写真の左のビューを含むベースレイヤ、立体写真の右のビューを含む立体写真のエンハンスメントレイヤ、深度マップが立体写真の左及び右のビューに対応する２つの深度エンハンスメントレイヤ、N個のオクルージョンマスクであるオクルージョンエンハンスメントレイヤからなる。
【００４７】
異なるレイヤにおけるデータの編成のため、3Dデジタルシネマ向け立体装置に関して、コンテンツは、多視点型のオートステレオスコピック装置に収束されるか、又は深度マップ及びオクルージョンマップを使用して収束される。スタックされたフォーマットは、少なくとも５つの異なるタイプの表示装置が対応するのを可能にする。これらのタイプの表示装置のそれぞれについて使用されるコンフィギュレーションは、図２に示されており、コンフィギュレーションのそれぞれについて使用されるレイヤは、互いにグループ分けされる。
【００４８】
参照符号１７のベースレイヤ１７は、単独で、従来の表示装置に対応する。  
ステレオレイヤに隣接するベースレイヤは、参照符号１８で示されるグループ化で示され、メガネを装着して、ステレオスクリーンでのDVDの表示と同様に、3Dシネマタイプの投影を可能にするか、ヘッドトラッキングにより２つの視点のみによるオートステレオスコピックを可能にする。
【００４９】
「左」深度レイヤに関連するベースレイヤは、参照符号１９で示されるグループ化で示され、フィリップス社の2D+z型表示装置が対応するのを可能にする。
【００５０】
「左」深度レイヤ及びオクルージョンレイヤに関連するベースレイヤ、すなわちレベルゼロでの第一のレイヤ並びに第一のレベル１及び２のエンハンスメントレイヤは、参照符号２０で示されるグループ化で示され、LDV（Layered  Depth  Video）型表示装置が対応するのを可能にする。
【００５１】
ステレオレイヤ並びに左及び右深度レイヤに関連するベースレイヤ、すなわちレベルゼロ及びレベル１レイヤは、参照符号２１で示されるグループ化で示され、MVD（多視点映像＋深度マップ）型オートステレオスコピック3DTV型表示装置に対応する。
【００５２】
係るトランスポートストリームの構築は、たとえばフィリップス2D+z、2D+z+オクルージョン、シネマタイプのステレオのフォーマット或いはLDV又はMVD型のフォーマットをもつLDVといった、フォーマットの収束を可能にする。
【００５３】
図１を参照して、3Dディスプレイ１２への適応回路は、レイヤの選択を実行する。具体的には、ディスプレイが立体投影１３からなるか又は3Dサーボ表示装置１６を利用する場合に、ベースレイヤ及びステレオエンハンスメントレイヤ、すなわちレベル０レイヤの選択、左深度エンハンスメントレイヤ及びオクルージョンレイヤのうちのベースレイヤ、すなわちLDV型１４の表示装置について第一のレベル０，１及び２のレイヤの選択、MDV多視点型の表示装置１５についてレベル０及び１の選択。たとえば、後者の場合、適応回路は、２つの立体視及び深度マップからの８つのビューの計算を実行して、MDV多視点型表示装置１５に供給する。
【００５４】
したがって、従来の2D又は3Dビデオ信号は、これらビデオ信号が記録媒体から到来するか、無線伝送から到来するか又はケーブルにより到来するかに関わらず、2D又は3Dシステムで表示される。たとえば適応回路を含むデコーダは、該デコーダが接続される3D表示システムに従ってレイヤを選択及び利用する。
【００５５】
この構造のため、使用される3D表示システムにより必要とされるレイヤのみをたとえばケーブルにより受信機に送信することもできる。
【００５６】
本発明は、例として上記説明で記載された。当業者であれば、本発明の範囲から逸脱することなしに、本発明の変形例を創作することができる。
【図１】
0005437369.tif 000002
【図２】
0005437369.tif 000003